(57)【要約】【課題】洗浄流の水勢が弱いときであっても、洗浄流のたっぷり感を確保させるのに有利な局部洗浄ノズル装置を提供する。【解決手段】この装置は、第１通路２１から直線流５３が供給される第１室３１と、第２通路２２から供給された水流を旋回流５４とさせる第２室３２と、第２室３２と第１室３１とを連通させる連通路３３と、第１室３１において直線流５３と旋回流５４とが混合された洗浄流５７を局部に向けて噴出させる噴出口３５と、第１室３１に供給する水量が増加するにつれて第２室３２に供給する水量を減少させることにより、噴出口３５から噴出される洗浄流５７の水量を一定領域に維持させつつ、洗浄流５７の水勢の強弱を可変とさせる洗浄流水勢調整要素６とをもつ。【選択図】  図１
2011149216.tif 000002
【特許請求の範囲】
【請求項１】
人体の局部を洗浄する洗浄流を噴出させる局部洗浄ノズル装置であって、
互いに並走する第１通路および第２通路と、
前記第１通路から直線流が供給される第１室と、
前記第１室の下側に配置され前記第２通路から供給された水流を旋回流とさせる第２室と、
前記第２室の旋回流と前記第１室の直線流とを前記第１室において混合させるように前記第２室と前記第１室とを連通させる連通路と、
前記第１室において直線流と旋回流とが混合された洗浄流を上向きに人体局部に向けて噴出させる噴出口と、
前記第１室に供給する単位時間あたりの水量が増加するにつれて前記第２室に供給する単位時間あたりの水量を減少させると共に、前記第１室に供給する単位時間あたりの水量が減少するにつれて前記第２室に供給する単位時間あたりの水量を増加させることにより、単位時間あたりに前記噴出口から噴出される前記洗浄流の水量を一定領域に維持させつつ、前記洗浄流の水勢の強弱を可変とさせる洗浄流水勢調整要素とを具備する局部洗浄ノズル装置。
【請求項２】
請求項１において、前記第２室の内部には、下部から上部に向かうにつれて外径が小さくなる円錐外周面が備える旋回流形成要素が設けられている局部洗浄ノズル装置。
【請求項３】
請求項２において、前記旋回流形成要素は、断面で頂角が鋭角状をなす頂部を有する円錐外周面を有する局部洗浄ノズル装置。
【請求項４】
請求項２において、前記旋回流形成要素は、下部から上部に向かうにつれて外径が小さくなる円錐状の外周面と、前記円錐状の外周面の上部に頂角の代わりに同軸的に連設された半球状面とを有する局部洗浄ノズル装置。
【発明の詳細な説明】
【技術分野】
【０００１】
本発明は、便器に搭載される局部洗浄ノズル装置に関する。
【背景技術】
【０００２】
特許文献１には、互いに並走する第１通路および第２通路と、第１通路から直線流が供給される第１室と、第１室の下側に配置され第２通路から供給された水流を旋回流とさせる第２室と、直線流と旋回流とが混合された洗浄流を上向きに人体局部に向けて噴出させる噴出口とを有する局部洗浄ノズル装置が開示されている。このものによれば、直線流と旋回流とが混合された洗浄流を人体局部に向けて噴出させる。特許文献２には、噴出口から噴出される洗浄流を人体局部に当てて洗浄させるにあたり、使用者の好みに応じて洗浄面積を可変とすることにより洗浄感を調整する局部洗浄ノズル装置が開示されている。
【先行技術文献】
【特許文献】
【０００３】
【特許文献１】特開２００１−９０１５４号公報
【特許文献２】特開２００３−１９３５３４号公報
【発明の概要】
【発明が解決しようとする課題】
【０００４】
ところで上記した従来技術によれば、洗浄流の水勢が強いときには、洗浄流のたっぷり感が確保されるものの、洗浄流の水勢が弱いときには、必然的に、単位時間あたりの洗浄流の流量がかなり低下して不足する。この場合、局部洗浄時における洗浄流の流量のたっぷり感が得られず、使用者に必ずしも洗浄満足感を与え得るものではなかった。
【０００５】
本発明は上記した実情に鑑みてなされたものであり、局部を洗浄する洗浄流の水勢が強いときは勿論のこと、洗浄流の水勢が弱いときであっても、洗浄流の流量のたっぷり感を確保させ、洗浄満足感を得るのに有利な局部洗浄ノズル装置を提供することを課題とする。
【課題を解決するための手段】
【０００６】
本発明の局部洗浄ノズル装置は、人体の局部を洗浄する洗浄流を噴出させる局部洗浄ノズル装置であって、互いに並走する第１通路および第２通路と、第１通路から直線流が供給される第１室と、第１室の下側に配置され第２通路から供給された水流を旋回流とさせる第２室と、第２室の旋回流と第１室の直線流とを第１室において混合させるように第２室と第１室とを連通させる連通路と、第１室において直線流と旋回流とが混合された洗浄流を上向きに人体局部に向けて噴出させる噴出口と、第１室に供給する単位時間あたりの水量が増加するにつれて第２室に供給する単位時間あたりの水量を減少させると共に、第１室に供給する単位時間あたりの水量が減少するにつれて第２室に供給する単位時間あたりの水量を増加させることにより、単位時間あたりに噴出口から噴出される洗浄流の水量を一定領域に維持させつつ、洗浄流の水勢の強弱を可変とさせる洗浄流水勢調整要素とを具備する。
【０００７】
洗浄流は、人体の便局部を洗浄する洗浄流を意味するが、ビデ用の洗浄流であっても良い。洗浄流の水勢の強弱はスイッチまたは制御装置により使用者の好みに応じて設定される。このとき、洗浄流水勢調整要素は、洗浄流の水勢の強弱を可変とさせつつも、単位時間あたりに噴出口から噴出される洗浄流の水量を一定領域に維持させる。
【発明の効果】
【０００８】
本発明によれば、局部を洗浄する洗浄流の水勢が強いときであっても、弱いときであっても、単位時間あたりに噴出口から噴出される洗浄流の流量を一定領域に維持させる。このため、局部を洗浄する洗浄流の水勢の強弱に拘わらず、噴出口から噴出されて人体局部を洗浄する洗浄流のたっぷり感を確保させることができる。このため、洗浄流の水勢が弱いときであっても、流量感の不足が避けられ、洗浄の満足感が得られ易い。  
【図面の簡単な説明】
【０００９】
【図１】実施形態１に係り、局部洗浄ノズル装置の概念の要部の斜視図である。
【図２】（Ａ）は局部洗浄ノズル装置の概念の要部を示す側面図であり、（Ｂ）は噴出口および連通路の寸法関係を示す図である。
【図３】第１室および第１通路の要部の平面図である。
【図４】第２室および第２通路の要部の平面図である。
【図５】洗浄流水勢調整要素を示す概念図である。
【図６】試験結果を示すグラフである。
【図７】実施形態２に係り、局部洗浄ノズル装置の概念の要部を示す側面図である。
【図８】実施形態３に係り、局部洗浄ノズル装置の概念の要部を示す側面図である。
【図９】局部洗浄ノズル装置が搭載されている便器の一例を示す斜視図である。
【発明を実施するための形態】
【００１０】
好ましくは、第２室の内部には、下部から上部に向かうにつれて外径が小さくなる円錐外周面が備える旋回流形成要素が設けられている。旋回流形成要素は、断面で頂角が鋭角状をなす頂部を有する円錐形状をなしていることが好ましい。また、旋回流形成要素は、下部から上部に向かうにつれて外径が小さくなる円錐状の外周面と、円錐状の外周面の上部に頂角の代わりに同軸的に連設された半球状面とを有することが好ましい。なお、最も直線流の割合が少ないときであっても、旋回流１００％で直線流０％の場合よりも、直線流数％（流量比で０．５〜５％、１〜４％）程度を旋回流に混合させることができる。最も直線流の割合が多いときには、直線流１００％にできる。
【００１１】
（実施形態１）
以下、本発明の実施形態１の概念について図１〜図６を参照して具体的に説明する。本実施形態の局部洗浄ノズル装置１は、便器に取り付けられる局部洗浄装置に搭載されており、人体局部を洗浄する洗浄流５７を噴出させる。この局部洗浄ノズル装置１は、ケース２と、ケース２の内部において互いに並走する第１通路２１および第２通路２２と、第１通路２１と第１開口３１ｃを介して連通するように第１通路２１の先端に設けられ第１通路２１から直線流５３が供給される第１室３１と、第１室３１の下側に配置され第２通路２２と第２開口３２ｃを介して連通するように第２通路２２の先端に設けられ第２通路２２から供給された水流を旋回流５４とさせる第２室３２と、第２室３２の上部と第１室３１の下部とを連通させる連通路３３と、第１室３１において直線流５３と旋回流５４とが混合された洗浄流５７を上向きに人体局部に向けて噴出させる噴出口３５とを有する。なお、図１及び図２に示すように、ケース２は上面２ｕ、下面２ｄ、側面２ｓおよび先端面２ｅを有する。第１室３１は、天井面３１ｕ、底面３１ｄよび側面３１ｓを有する。第２室３２は第１室３１の真下に位置しており、天井面３２ｕ、底面３２ｄおよび側面３２ｓを有する。
【００１２】
なお、噴出口３５の中心軸線Ｐ３は、第１通路２１の中心軸線Ｐ１および第２通路２２の中心軸線Ｐ２に対して傾斜している。噴出口３５は、第２室３２に開口する入口３５ａと、外方に開口する出口３５ｃとを有する。噴出口３５は、これの先端に向かうにつれて、つまり、入口３５ａから出口３５ｃに向かうにつれて、第１通路２１の上流および第２通路２２の上流に向かうように傾斜している。
【００１３】
図２に示すように、連通路３３は、上側の第１室３１に開口する連通開口３３ａと、下側の第２室３２に開口する連通開口３３ｃを有する。なお、図２から理解できるように、中心軸線Ｐ１，Ｐ２と直交する方向において側方から投影されるとき、第１通路２１の中心軸線Ｐ１が延びる方向において、連通路３３の連通開口３３ａ，３３ｃは、旋回流形成要素４の円錐外周面４２の中心軸線ＰＡよりも上流に位置している。即ち、連通路３３の連通開口３３ａ，３３ｃは、円錐外周面４２の頂部４０よりも上流側に位置すると共に、噴出口３５の入口３５ａよりも上流側に位置する。このような構造であれば、第１室３２の直線流５３に第２室３２の旋回流５４を混合させた後に、噴出口３５から外方に噴出させることができ、旋回方向に方向ベクトルをもつ旋回流５４の影響を直線流５３に与え易い利点が得られる。
【００１４】
使用時には、第１室３１には、第１通路２１を流れる水が直線流５３として供給される。第２通路２２から第２室３２に供給された水流は旋回流５４とされる。すなわち、図１に示すように、第２室３２の内部の中央域には旋回流形成要素４が突起状に設けられている。旋回流形成要素４は、これの頂部４０およびこれの底面を通過する断面において、頂角が鋭角状（例えば３０〜７０°）をなす頂部４０を有する円錐形状をなしている。旋回流形成要素４は、底面である下部４ｄから、頂部４０である上部４ｕに向かうにつれて外径が次第に小さくなる円錐外周面４２を備えている。この場合、円錐外周面４２が下部４ｄから上部４ｕまで一定の頂角で連続する。このため、第２通路２２から第２開口３２ｃを介して第２室３２に供給された第２水流５２を、円錐外周面４２の中心軸線ＰＡの回りを旋回させて効果的に旋回流５４として生成できる。なお、旋回流５４を良好に形成できるように、図４（第２室３２を真上から投影した図）に示すように、第２開口３２ｃは、旋回流形成要素４の円錐外周面４２の中心軸線ＰＡに対して偏った位置に配置されている。
【００１５】
局部洗浄にあたり、第２室３２において生成された旋回流５４は、連通路３３からその上側の第１室３１に流入する。この結果、第２室３２において生成された旋回流５４は、第１室３１の直線流５３と混合する。このように旋回流５４と直線流５３とが第１室３１において混合される。その後、混合された旋回流５４および直線流５３は、洗浄流５７として、噴出口３５から外方の局部に向けて噴出される。
【００１６】
局部洗浄にあたり、使用者の好みに応じて、噴出口３５から噴出される洗浄流５７の水勢の強弱をスイッチまたは制御装置等により調整させることが好ましい。この場合、使用者に操作される操作部により洗浄流５７の水勢の強弱を可変とさせつつも、単位時間あたり噴出口３５から噴出される洗浄流５７の水量を一定領域に維持させる。ここで、一定領域とは、洗浄流５７の噴出中においてある時刻において噴出される一定水量を１００として相対表示するとき、洗浄流５７の噴出中において８５〜１１５の範囲内、９０〜１１０の範囲内、更に９５〜１０５の範囲内、９７〜１０３の範囲内であることが好ましく、１００であることが特に好ましい。
【００１７】
図１に示すように、洗浄流水勢調整要素６は、第１通路２１および第２通路２２に分岐する前の共通通路６０と、共通通路６０から分岐された第１通路２１に設けられた第１洗浄流調整バルブ６１と、共通通路６０から分岐された第２通路２２に設けられた第２洗浄流調整バルブ６２とを有する。第１洗浄流調整バルブ６１はこれの流路断面積を調整し、第１通路２１を流れる単位時間あたりの水量を調整する。第２洗浄流調整バルブ６２はこれの流路断面積を調整し、第２通路２２を流れる単位時間あたりの水量を調整する。なお、共通通路６０の上流は一般的には水道管に繋がる。
【００１８】
さて、噴出口３５から噴出される洗浄流５７の水勢を強くさせる場合には、洗浄流水勢調整要素６は、第１室３１に供給する単位時間あたりの水量を増加させつつ、第２室３２に供給する単位時間あたりの水量を減少させる。この場合、噴出口３５から噴出される洗浄流５７において、直線流５３の割合が増加すると共に旋回流５４の割合が減少するため、人体局部に直接衝突する衝突度が高くなり、使用者は強い洗浄感が得られる。ここで、直線流５３の方向ベクトルは人体局部に向けて指向するため、直線流５３の割合が増加すると、人体局部に衝突する度合が高くなり、使用者は強い洗浄感を感じる。これに対して、旋回流５４の方向ベクトルは人体局部に向かう仮想線の回りに旋回方向として指向するため、旋回流５４の割合が増加すると、人体局部に直接衝突する衝突度が低下し、使用者はマイルドな洗浄感を得る。
【００１９】
局部洗浄の際に、噴出口３５から噴出される洗浄流５７の水勢を弱くさせる場合には、洗浄流水勢調整要素６は、第１室３１に供給する単位時間あたりの水量を減少させつつ、第２室３２に供給する単位時間あたりの水量を増加させる。この場合、噴出口３５から噴出される洗浄流５７において、直線流５３の割合が減少すると共に旋回流５４の割合が増加するため、使用者はマイルドな洗浄感を感じる。
【００２０】
本実施形態によれば、前述したように噴出口３５から噴出される洗浄流５７の水勢の強弱を調整させつつも、単位時間あたりに噴出口３５から噴出される洗浄流５７の水量を洗浄流水勢調整要素６により一定領域に維持させる。
【００２１】
図５は洗浄流水勢調整要素６の一例を示す。図５に示すように、洗浄流水勢調整要素６は、一端６１ａから他端６１ｃに向かうにつれて開口幅が増加する第１開口３１ｃで形成された第１洗浄流調整バルブ６１と、一端６２ａから他端６２ｃに向かうにつれて開口幅が減少する第２開口３２ｃで形成された第２洗浄流調整バルブ６２とをもつ。第１開口３１ｃは、第１通路２１および第１室３１に連通しており、直線流５３となる水流を供給させる。第２開口３２ｃは、旋回流５４が形成される第２室３２に第２通路２２を介して連通する。スリット状をなす可動開口６３をもつ可動部６３ｍが設けられている。可動開口６３は第１開口３１ｃおよび第２開口３２ｃに対面し、第１開口３１ｃおよび第２開口３２ｃの通水流路断面積を可変とさせる。可動開口６３は第１開口３１ｃおよび第２開口３２ｃの長さ方向（矢印Ｓ１，Ｓ２方向）に沿って移動可能とされている。なお可動開口６３の開口幅ΔＷは、使用者の好みに応じて調整され、広幅でも狭幅でも良い。ここで、可動開口６３の位置の如何に拘わらず、第１開口３１ｃの通水流路断面積と第２開口３２ｃの通水流路断面積との合計が一定値const１となる。よって、可動開口６３の位置の如何に拘わらず、噴出口３５から噴出される洗浄流５７において直線流５３の単位時間あたりの水量および旋回流５４の単位時間あたりの水量との合計が一定値const２（１００％）となるように設定されている。
【００２２】
従って、可動開口が（１）の位置にあるとき、相対表示で第１開口３１ｃの流路断面積が１００となり第２開口３２ｃの流路断面積が０となり、この結果、噴出口３５から噴出される洗浄流５７において直線流５３の割合が１００％となり、旋回流５４の割合が０％となる。この場合、噴出口３５から噴出される洗浄流５７が局部に向かう方向ベクトルが大きく増加し、局部を洗浄する洗浄流５７の水勢が強いと、使用者は感じる。可動開口が（２）の位置にあるとき、相対表示で第１開口３１ｃの流路断面積が７５となり第２開口３２ｃの流路断面積が２５となり、この結果、噴出口３５から噴出される洗浄流５７において直線流５３の割合が７５％となり、旋回流５４の割合が２５％となる。この場合、噴出口３５から噴出される洗浄流５７が局部に向かう方向ベクトルがやや弱くなり、局部を洗浄する洗浄流５７の水勢がやや強であると、使用者は感じる。
【００２３】
可動開口が（３）の位置にあるとき、相対表示で第１開口３１ｃの流路断面積が５０となり第２開口３２ｃの流路断面積が５０となり、噴出口３５から噴出される洗浄流５７において直線流５３の割合が５０％となり、旋回流５４の割合が５０％となる。この場合、噴出口３５から噴出される洗浄流５７が局部に向かう方向ベクトルが中程度となり、局部を洗浄する洗浄流５７の水勢が中程度であると、使用者は感じる。また、可動開口が（４）の位置にあるとき、相対表示で第１開口３１ｃの流路断面積が２５となり第２開口３２ｃの流路断面積が７５となり、噴出口３５から噴出される洗浄流５７において直線流５３の割合が２５％となり、旋回流５４の割合が７５％となる。この場合、噴出口３５から噴出される洗浄流５７が局部に向かう回転方向の方向ベクトルが増加し、局部を洗浄する洗浄流５７の水勢がやや弱く、マイルド感が向上していると、使用者は感じる。
【００２４】
更に、可動開口が（５）の位置にあるとき、相対表示で第１開口３１ｃの流路断面積が数％となり第２開口３２ｃの流路断面積が約１００となり、噴出口３５から噴出される洗浄流５７において直線流５３の割合が数％となり、旋回流５４の割合が約１００％となる。この場合、噴出口３５から噴出される洗浄流５７が旋回しつつ人体局部に向かう旋回方向の方向ベクトルが大きく増加し、人体局部を洗浄する洗浄流５７の水勢が弱く、マイルド感が高いと、使用者は感じる。
【００２５】
上記したように本実施形態によれば、局部を洗浄するために噴出口３５から噴出される洗浄流５７の水勢が弱いときであっても、洗浄流５７の水勢が強い場合と同様に、洗浄流５７の水量が充分に確保されるため、洗浄感の不足が避けられ、局部を洗浄する洗浄流５７のたっぷり感が確保され、洗浄満足感が得られる。すなわち、局部を洗浄する洗浄流５７の水勢の強弱に拘わらず、洗浄流５７の水量が充分に確保されるため、洗浄感の不足が避けられ、局部を洗浄する洗浄流５７のたっぷり感が確保され、洗浄満足感が得られる。
【００２６】
本実施形態によれば、ケース２において、直線流５３が供給される第１室３１の下部（真下）に、旋回流５４が生成される第２室３２が配置されている。このため、洗浄流５７において、旋回流５４の影響を第１室３１の直線流５３に対して与え易い。逆に、直線流５３が供給される第１室３１の上部に、旋回流５４が生成される第２室３２が配置されている場合には、旋回流５４が直線流５３の上方に位置し、旋回流５４が直線流５３と充分に混合されることなく、噴出口３５から直ちに外方に噴出されるため、旋回流５４の旋回方向の方向ベクトルの影響を直線流５３に対して与え難いと考えられる。ここで、旋回流形成要素４の円錐外周面４２の頂部４０は頂角を有するように、円錐外周面４２の全体が円錐外周面形状をなしている。このため第２室３２において旋回流５４が確保され易い。
【００２７】
噴出口３５および連通路３３の側面視の寸法関係を図２（Ｂ）に示す。側面視において、噴出口３５は幅ａおよび高さｂをもつ。連通路３３は幅ｃおよび高さｄをもつ。ここで、ａ／ｂ≦１とされている。また、ｃ／ｄ≧１とされている。ｂ＞ｄとされていることが好ましい。
【００２８】
第２室３２を第１室３１に連通させる連通路３３の流路距離が長いと、連通路３３の長さの影響で、第２室３２において生成された旋回流５４の旋回の乱れが生じるおそれがある。この点について本実施形態によれば、図２から理解できるように、連通路３３の高さ寸法をｄとし、噴出口３５の高さ寸法（ケース２の天井面３１ｕに対して垂直方向における高さ寸法）をｂとすると、ｂ＞ｄの関係とされている。ｄ／ｂ＝０．６以下、０．５以下、０．４以下とされていることが好ましい。このため、第２室３２において生成された旋回流５４が連通路３３を通過するときにおける旋回の乱れが抑制され、旋回流５４を第１室３１に速やかに流入させ易い。従って、第２室３２において生成された旋回方向に方向ベクトルをもつ旋回流５４の影響を直線流５３に対して与え易い。この場合、洗浄流５７の強弱の調整範囲を増加させ易い。なお、図２から理解できるように、連通路３３の高さ（長さ）ｄは、第１室３１の室高さ寸法および第２室３２の室高さ寸法よりも短くされていることが好ましい。
【００２９】
図６は実施形態１に係る装置における噴出水量の概念を示す。図６の横軸は、噴出口３５から噴出される洗浄流５７の単位時間あたりの噴出水量（相対表示）を示す。図６の縦軸は、噴出口３５から噴出される洗浄流５７の衝突平均荷重（相対表示）を示す。この試験例では、衝突平均荷重は、噴出口３５から噴出される洗浄流５７の強さに相当するものであり、噴出口３５の上方５センチメートルの位置に荷重センサが設置された状態で、荷重センサにより測定された。特性線Ａ１〜Ａ４は従来形態を示す。図６の目標領域ＷＥに示すように、噴出口３５から上向きに噴出される洗浄流５７の衝突平均荷重が大きいとき（すなわち、洗浄流５７の水勢が強いとき）には勿論のこと、噴出口３５から上向きに噴出される洗浄流５７の衝突平均荷重が小さいときであっても（すなわち、洗浄流５７の水勢が弱いときであっても）、洗浄流５７の単位時間あたりの水量は一定領域に維持される。よって、洗浄流５７の水勢が弱いときであっても、洗浄流５７の流量感を確保でき、洗浄感の不足が解消される。
【００３０】
（実施形態２）
図７は実施形態２を示す。本実施形態と実施形態１と同様の構成および作用効果を有する。図７に示すように、第２室３２の内部には旋回流形成要素４Ｂが設けられている。旋回流形成要素４Ｂは、これの下部４ｄからこれの上部に向かうにつれて外径が小さくなる円錐外周面４２Ｂと、円錐外周面４２Ｂの上部に頂角の代わりに同軸的に連設された半球状面４４とを有する。半球状面４４は円錐の頂角を示す頂部４０（図２参照）に比較すると、広い表出面積を有する。この場合、第２室３２に供給された水が半球状面４４に当たり易いため、第２室３２における旋回流５４の水勢が弱められ易くなる。このように旋回流５４の水勢を弱めれば、噴出口３５から噴出される洗浄流５７のうち旋回流５４の割合が１００％のときにおいて、洗浄流５７の水勢を弱くさせ易い。従って、噴出口３５から噴出される洗浄流５７のうち旋回流５４の割合が約１００％（９０〜１００％、９０〜９８％）のときにおける洗浄流５７の水勢の弱さと、噴出口３５から噴出される洗浄流５７のうち直線流５３の割合が１００％のときにおける洗浄流５７の水勢の強さとの差を増加させ易い利点が得られる。このように洗浄流５７の水勢の強弱の調整範囲を大きくさせ易く、洗浄流５７の単位時間あたりの流量を一定領域に維持させつつ、洗浄流５７の水勢の強弱を使用者の好みに応じさせ易い利点が得られる。図７に示すように、連通路３３の連通開口３３ａ，３３ｃは、旋回流形成要素４の円錐外周面４２の中心軸線ＰＡよりも上流に位置している。即ち、連通路３３の連通開口３３ａ，３３ｃは、円錐外周面４２の頂部４０よりも上流側に位置すると共に、噴出口３５の入口３５ａよりも上流側に位置する。なお、旋回流５４の割合が最も多いときには、旋回流５４が１００％の場合でも良いし、あるいは、旋回流５４を９０〜９９％、９５〜９９％とし、残りを直線流５３との割合とする場合でも良い。
【００３１】
（実施形態３）
図８は実施形態３を示す。本実施形態と実施形態１，２と同様の構成および作用効果を有する。図８に示すように、第２室３２の内部には旋回流形成要素４Ｂが設けられている。旋回流形成要素４Ｂは、これの下部４ｄからこれの上部に向かうにつれて外径が小さくなる円錐外周面４２Ｂと、円錐外周面４２Ｂの上部に頂角の代わりに同軸的に連設された半球状面４４とを有する。半球状面４４の上方に連通路３３が中心軸線ＰＡと同軸的に位置する。このため、第２室３２の旋回流５４が速やかに第１室３１に流入し、旋回流５４の影響を第１室３１の直線流５３に対して与え易い。半球状面４４の代わりに、頂角を有する円錐の頂部としても良い。
【００３２】
（実施形態４）
本実施形態と実施形態１〜３と同様の構成および作用効果を有するため、図１〜図８を準用できる。第１室３１の室空間容積をＶ１とする。第２室３２の室空間容積をＶ２とする。Ｖ１は直線流５３と旋回流５４との混合性に影響を与える。第１室３１の室空間容積Ｖ１が過剰に小さいと、直線流５３が噴出口３５からそのまま噴出され易くなり、第１室３１における直線流５３と旋回流５４との混合性が低下するおそれがある。第２室３２の室空間容積Ｖ２が過剰に小さくても、過剰に大きくても、旋回流５４が生成されにくい。このように第２室３２の室空間容積Ｖ２は、第２室３２において生成される旋回流５４の水流強さに影響を与える。従って、Ｖ１／Ｖ２は、噴出口３５から噴出される洗浄流５７の強弱に影響を与える。噴出口３５から噴出される洗浄流５７の強弱の確保を考慮すると、Ｖ１／Ｖ２は例えば１．０〜２．５の範囲内、１．２〜２．０の範囲内にできる。但しこの範囲内に限定されるものではない。
【００３３】
（適用形態）
図９は適用形態を示す。図９に示すように、便器１０１の後方の上部には局部洗浄装置１００が搭載されている。局部洗浄装置１００は、水タンク１０１ｘを有する便器１０１に据え付けられる便座１０７と、便座１０７の上方に位置する便蓋１０２と、操作パネル１０４をもつハウジング１０３とを有する。ハウジング１０３には、洗浄ノズル装置１が設けられている。図略のモータ機構などの駆動機構が動作すると、あるいは、水圧等を駆動力として、洗浄ノズル装置１は、便座１０７に着座する人体の局部に向けて前進し、洗浄流を局部に向けて噴出させて局部を洗浄させる。
【００３４】
（その他）本発明は上記し且つ図面に示した実施形態のみに限定されるものではなく、要旨を逸脱しない範囲内で適宜変更して実施できる。
【符号の説明】
【００３５】
１は洗浄ノズル装置、２はケース、２１は第１通路、２２は第２通路、３１は第１室、３２は第２室、３３は連通路、３５は噴出口、４は旋回流形成要素、４０は頂部、４２は円錐外周面、４４は半球状面、５３は直線流、５４は旋回流、５７は洗浄流水勢調整要素、６３は可動開口を示す。
【図１】
2011149216.tif 000003
【図２】
2011149216.tif 000004
【図３】
2011149216.tif 000005
【図４】
2011149216.tif 000006
【図５】
2011149216.tif 000007
【図６】
2011149216.tif 000008
【図７】
2011149216.tif 000009
【図８】
2011149216.tif 000010
【図９】
2011149216.tif 000011